(57)【特許請求の範囲】
【請求項１】
上下方向に立ち上がった取付面に取り付けられた状態で、この取付面の前方であって、この取付面に対して交差する方向に伸びており、湯水の混合比と吐水量とを調整する操作レバーを有した水栓本体と、
この水栓本体に連通し、前記水栓本体を経由した湯水を先端の吐水口から吐水する吐水管と、
前記取付面に取り付けられた前記水栓本体を少なくとも下方から覆うように取り付けられ、下部に上下方向に貫通した挿通孔が形成されたカバーと、
前記操作レバーに連結される連結部、一方の端部が前記連結部に連続した中間部、及び前記中間部の他方の端部に連続して伸び、前記カバーの前記挿通孔を挿通して前記カバーの下方に突出する把持部を有しており、前記中間部の他方の端部が前記操作レバーの中心軸から離れた位置で上下方向に伸びるように前記中間部が曲がったハンドルと、
を備えていることを特徴とする水栓。
【請求項２】
前記ハンドルの前記中間部の一方の端部が上下方向に伸びた状態において、前記中間部は前記一方の端部から前記他方の端部に向けて左右方向に伸びつつ前方又は後方に膨らむように湾曲した曲がり部を有していることを特徴とする請求項１記載の水栓。
【請求項３】
前記カバーは下部に上方に窪んだ凹部が形成されており、前記挿通孔は前記凹部に形成されていることを特徴とする請求項１又は２記載の水栓。
【請求項４】
前記ハンドルに干渉しないように、前記凹部は前記挿通孔から下方外側に傾斜する傾斜面によって形成されていることを特徴とする請求項３記載の水栓。
【発明の詳細な説明】
【技術分野】
【０００１】
本発明は水栓に関するものである。
【背景技術】
【０００２】
特許文献１に従来の水栓が開示されている。この水栓は洗面化粧台のミラーキャビネットの下方であって、洗面ボウルの上方に取り付けられている。この水栓は、水栓本体、カバー、ハンドル、及びシャワーヘッドを備えている。この水栓は、水栓本体がカバー内の右側に配置され、水栓本体の下部がカバーの下面から下方に突出している。ハンドルは水栓本体の下面から下方に伸びている。この水栓は、ハンドルを左右方向に回動させると湯水の混合比が調整され、ハンドルを前後方向に移動させると湯水の吐水量が調整される。シャワーヘッドは、カバー内の左側に配置され、吐水口が前方斜め下方を向いてカバーから露出している。また、シャワーヘッドは、水栓本体に連通しており、水栓本体を経由した湯水が先端の吐水口から吐水される。このように、この水栓は洗面化粧台のミラーキビネットの下方にコンパクトに取り付けることができる。
【先行技術文献】
【特許文献】
【０００３】
【特許文献１】特開２０１１−６４０３４号公報
【発明の概要】
【発明が解決しようとする課題】
【０００４】
しかし、特許文献１の水栓は水栓本体の下部がカバーの下方から突出しているため、カバーと水栓本体との間に隙間が有ったり、カバーの下面に凹凸が有ったりする。このため、この水栓は、カバーと水栓本体との間の隙間に汚れが溜まり、さらに凹凸が有るため、清掃性が悪い。また、この水栓はカバーと水栓本体との間の隙間や凹凸がデザイン性を悪くしている。
【０００５】
本発明は、上記従来の実情に鑑みてなされたものであって、清掃性及びデザイン性が良好な水栓を提供することを解決すべき課題としている。
【課題を解決するための手段】
【０００６】
本発明の水栓は、上下方向に立ち上がった取付面に取り付けられた状態で、この取付面の前方であって、この取付面に対して交差する方向に伸びており、湯水の混合比と吐水量とを調整する操作レバーを有した水栓本体と、
この水栓本体に連通し、前記水栓本体を経由した湯水を先端の吐水口から吐水する吐水管と、
前記取付面に取り付けられた前記水栓本体を少なくとも下方から覆うように取り付けられ、下部に上下方向に貫通した挿通孔が形成されたカバーと、
前記操作レバーに連結される連結部、一方の端部が前記連結部に連続した中間部、及び前記中間部の他方の端部に連続して伸び、前記カバーの前記挿通孔を挿通して前記カバーの下方に突出する把持部を有しており、前記中間部の他方の端部が前記操作レバーの中心軸から離れた位置で上下方向に向けて伸びるように前記中間部が曲げられたハンドルと、
を備えていることを特徴とする。
【０００７】
この水栓は、ハンドルの中間部の他方の端部が操作レバーの中心軸から離れた位置で上下方向に伸びるように中間部が曲げられている。つまり、この水栓は、曲がり部が操作レバーの中間部の一方の端部から他方の端部に向けて左右方向に伸びている。これによって、この水栓は、ハンドルを操作して、水栓本体の操作レバーを動かして湯水の混合比を調整する際に、ハンドルの中間部がカバーの挿通孔を通過する付近において、ハンドルの中間部の軌道範囲を狭くすることができる。つまり、この水栓は、ハンドルの中間部が挿通するカバーの挿通孔を小さくすることができる。よって、カバーの下部をすっきりとした形状にすることができる。
【０００８】
したがって、本発明の水栓は、清掃性及びデザイン性を良好にすることができる。
【０００９】
ここで、上下方向に立ち上がった取付面とは、鉛直線方向に立ち上がっている取付面に限らず、鉛直線に対して傾斜して立ち上がった取付面も含まれる。また、湯水の混合比が調整されるとは、湯が混合されずに水のみを吐水したり、水が混合されずに湯のみを吐水したりする場合を含み、湯水の混合比を調整することをいう。また、操作レバーの中間部の他方の端部が上下方向に伸びるとは、鉛直線方向に伸びた状態に限らず、鉛直線に対して傾斜した方向に伸びた状態も含む。
【図面の簡単な説明】
【００１０】
【図１】実施例１の水栓が取り付けられた洗面化粧台を示す正面図である。
【図２】実施例１の水栓が取り付けられた洗面化粧台を示す側面図である。
【図３】実施例１の水栓であって、止水状態のハンドル位置であり、かつ湯水が混合されて吐水されるハンドル位置を示しており、（Ａ）は正面視の断面図であり、（Ｂ）は側面視の断面図である。
【図４】実施例１の水栓であって、止水状態のハンドル位置であり、かつ湯が混合されずに水のみが吐水されるハンドル位置を示しており、（Ａ）は正面視の断面図であり、（Ｂ）は側面視の断面図である。
【図５】実施例１の水栓であって、止水状態のハンドル位置であり、かつ水が混合されずに湯のみが吐水されるハンドル位置を示しており、（Ａ）は正面視の断面図であり、（Ｂ）は側面視の断面図である。
【図６】実施例１の水栓であって、吐水状態のハンドル位置であり、かつ混合された湯水が吐水されるハンドル位置を示しており、（Ａ）は正面視の断面図であり、（Ｂ）は側面視の断面図である。
【発明を実施するための形態】
【００１１】
本発明における好ましい実施の形態を説明する。
【００１２】
本発明の水栓の前記ハンドルの前記中間部の一方の端部が上下方向に伸びた状態において、前記中間部は、前記一方の端部から前記他方の端部に向けて左右方向に伸びつつ前方又は後方に膨らむように湾曲した曲がり部を有し得る。この場合、この水栓は、曲がり部が操作レバーの中間部の一方の端部から他方の端部に向けて前方又は後方に膨らむように湾曲している。これによって、この水栓は、ハンドルを操作して、水栓本体の操作レバーを動かして湯水の吐水量を調整する際、ハンドルの中間部がカバーの挿通孔を通過する付近において、ハンドルの中間部の軌道範囲を狭くすることができる。このため、この水栓は、ハンドルの中間部が挿通するカバーの挿通孔を小さくすることができる。よって、カバーの下部をすっきりとした形状にすることができる。
【００１３】
ここで、湯水の吐水量が調整されるとは、止水状態を含み、止水状態から最大吐水量までの間で吐水量を調整することをいう。また、操作レバーの中間部の一方の端部が上下方向に伸びるとは、鉛直線方向に伸びた状態に限らず、鉛直線に対して傾斜した方向に伸びた状態も含む。
【００１４】
本発明の水栓の前記カバーは下部に上方に窪んだ凹部が形成されており、前記挿通孔は前記凹部に形成され得る。この場合、この水栓はカバーの挿通孔を水栓本体の操作レバーの中心軸に近づけることができる。これによって、この水栓は、ハンドルの中間部が挿通するカバーの挿通孔を小さくすることができ、カバーの下部をよりすっきりとした形状にすることができる。
【００１５】
本発明の水栓において、前記ハンドルに干渉しないように、前記凹部は前記挿通孔から下方外側に傾斜する傾斜面によって形成され得る。この場合、この水栓は、挿通孔から下方外側に傾斜する傾斜面によってハンドルに干渉しないようにしているため、挿通孔を大きくしなくてもハンドルを操作して操作レバーを回動端に回動させることができる。つまり、この水栓は、ハンドルの中間部が挿通するカバーの挿通孔を小さくすることができ、カバーの下部をよりすっきりとした形状にすることができる。なお、回動端とは操作レバーが最も回動した状態をいう。
【００１６】
次に、本発明の水栓を具体化した実施例１について、図面を参照しつつ説明する。
【００１７】
＜実施例１＞
実施例１の水栓は、図１及び図２に示すように、洗面化粧台１に取り付けられている。洗面化粧台１は、ミラーキャビネット１０と、ミラーキャビネット１０の下方に配置される洗面台２０とを備えている。洗面化粧台１はミラーキャビネット１０の左右幅と洗面台２０の左右幅が同じである（ここで、左右は図１における左右である。以下同じ。）。
【００１８】
ミラーキャビネット１０は、図１に示すように、左右方向で３分割された鏡１１，１３，１５と、各鏡１１，１３，１５の後方に設けられた収納部１７と、各鏡１１，１３，１５の上方に配置された照明器具１９とを有している。中央に位置する鏡１１は、正面視で縦長長方形状であり、左右に位置する鏡１３，１５に比べて左右方向の幅が広い。中央に位置する鏡１１は、鉛直線方向に伸びる右側の一辺の後側を回転軸にして、収納部１７の前面を開閉自在に取り付けられている。左右に位置する鏡１３，１５は、正面視で縦長長方形状であり、左右方向の幅が同じである。また、左右に位置する鏡１３，１５は、鉛直方向に伸びる内側の一辺の後側を回転軸にして、収納部１７の前面を開閉自在に取り付けられている。照明器具１９はミラーキャビネット１０の左右幅全体に伸びて設けられている。
【００１９】
洗面台２０は、カウンター２１と、カウンター２１を載置するキャビネット２９とを有している。カウンター２１は、洗面ボウル２３、カウンター部２５、及び背板部２７が一体的に形成されている。洗面ボウル２３はカウンター２１の左右方向の中央に設けられている。カウンター部２５は洗面ボウル２３の左右両側に設けられ、上方から見た平面視で奥行き方向の長い長方形状である。背板部２７は、洗面ボウル２３の後面の上端縁及びカウンター部２５の後端縁に連続し、カウンター部２５よりも上方に伸びている。背板部２７は正面視で横長長方形状である。また、背板部２７の前面２７Ａは、平面であり、上方に向けてわずかに後方に傾いた傾斜面である。背板部２７の左右方向の幅はミラーキャビネット１０の左右方向の幅と同じである。キャビネット２９は前方へ引き出せる２段の引き出し２９Ａが設けられている。
【００２０】
この洗面化粧台１は、先ず、洗面台２０を床面の所定の位置に載置した状態で、洗面台２０を壁面へねじ止めして固定する。次に、ミラーキャビネット１０を洗面台２０の背板部２７の上端面に下端面が当接させつつ、背板部２７の左右端とミラーキャビネット１０の左右端を揃えて載置した状態で、ミラーキャビネット１０を壁面へねじ止めして固定する。このようにして、この洗面化粧台１は洗面室に設置される。
【００２１】
水栓は、図１〜図６に示すように、水栓本体３０、吐水管５０、カバー７０、及びハンドル９０を備えている。水栓本体３０は、図３〜図６に示すように、カウンター２１の背板部２７の上端部に取り付けられている。背板部２７の前面２７Ａは、前述したように、平面であり、上方に向けてわずかに後方に傾いた傾斜面である。背板部２７の前面２７Ａが上下方向に立ち上がった取付面に相当する。
【００２２】
水栓本体３０は、図２に示すように、給湯管３と給水管５が連結されている。水栓本体３０は、図３（Ｂ）〜図６（Ｂ）に示すように、可動ディスク３１と、固定ディスク３２を収納している。可動ディスク３１と固定ディスク３２は、図示しない複数の貫通孔が形成されている。水栓本体３０は、可動ディスク３１と固定ディスク３２の夫々に形成された貫通孔の重なり具合によって、給湯管３から供給された湯と、給水管５から供給された水との混合比を調整したり、吐水量を調整したりすることができる。
【００２３】
水栓本体３０は可動ディスク３１に操作レバー３３が連結されている。操作レバー３３は背板部２７の前面２７Ａの前方であって、背板部２７の前面２７Ａに対して交差する方向に伸びている。水栓本体３０は、操作レバー３３を中心軸Ｘ周りに回動させることによって、固定ディスク３２に対して可動ディスク３１が回動し、湯水の混合比が調整される。
【００２４】
つまり、水栓本体３０は、操作レバー３３を中心軸Ｘ周りに反時計回転方向に回動させるにつれて、湯水の混合比の湯の割合が多くなる。一方、水栓本体３０は、操作レバー３３を中心軸Ｘ周りに時計回転方向に回動させるにつれて、湯水の混合比の水の割合が多くなる。また、水栓本体３０は、操作レバー３３を中心軸Ｘ周りに反時計回転方向の回動端に回動させる（最も反時計回転方向に回動させた状態にする）と、湯が混合されずに水のみを吐水することができる。一方、水栓本体３０は、操作レバー３３を中心軸Ｘ周りに時計回転方向の回動端に回動させる（最も時計回転方向に回動させた状態にする）と、水が混合されずに湯のみを吐水することができる。
【００２５】
また、操作レバー３３は、中間部が回動軸３４で軸支されており、後端部が可動ディスク３１に連結されている。このため、水栓本体３０は回動軸３４を中心にして操作レバー３３の中心軸Ｘに交差する方向に操作レバー３３を動かすことができる。また、水栓本体３０は、操作レバー３３を中心軸Ｘに交差する方向に動かすことによって、固定ディスク３２に対して可動ディスク３１が移動し、湯水の吐水量が調整される。つまり、水栓本体３０は、操作レバー３３を中心軸Ｘに交差する方向の一方の移動端に移動させると、止水状態となり、他方の移動端に移動させると単位時間当たりの吐水量が最大の吐水状態にすることができる。
【００２６】
吐水管５０は、図１及び図２に示すように、円筒状であり、洗面化粧台１の左右方向の中央部で、カウンター２１の背板部２７の前面２７Ａの上端部に取り付けられている。吐水管５０は、カバー７０の下部から突出し、前方斜め下方を向いて伸びている。吐水管５０は先端に湯水を吐水する吐水口５１が形成されている。吐水管５０は水栓本体３０を経由した湯水を吐水口５１から吐水する。
【００２７】
カバー７０は、図１に示すように、横長形状であり、ミラーキャビネット１０の下端に連続して、背板部２７の前面２７Ａの上端部に左右方向に伸びるように取り付けられている。カバー７０は、左右方向の幅が、洗面化粧台１の左右方向の幅、つまり、ミラーキャビネット１０及び背板部２７の左右方向の幅と同じである。このため、カバー７０は、背板部２７の前面２７Ａの上端部を左右方向の全体に亘って覆っている。
【００２８】
カバー７０は、図３〜図６に示すように、上壁部７１、前壁部７３、下壁部７５、及び左右側壁部７７を有している。上壁部７１は、図３（Ｂ）〜図６（Ｂ）に示すように、水平面上で左右方向に伸びた平板である。カバー７０は、ミラーキャビネット１０の下面の前端部に上壁部７１が当接した状態で、背板部２７の前面２７Ａの上端部に取り付けられる。前壁部７３は第１前壁部７３Ａと第２前壁部７３Ｂとから構成されている。第１前壁部７３Ａは、上壁部７１の前端縁から連続して下方に伸びつつ前方へ向けて湾曲しており、左右方向に伸びる凹部を形成している。第２前壁部７３Ｂは第１前壁部７３Ａの下端縁に連続して鉛直線方向に垂下している。下壁部７５は第２前壁部７３Ｂの下端縁から後方に下方に傾斜しつつ伸びている。下壁部７５の後端縁は背板部２７の前面２７Ａと僅かな隙間Ｓを有している。仮に、後述する第１挿通孔７５Ａ、第２挿通孔７５Ｂ、及び第３挿通孔７５Ｃから水がカバー７０内に侵入したとしても、カバー７０内に侵入した水が、下壁部７５の上面に沿って流れ、隙間Ｓから水抜きをすることができる。
【００２９】
カバー７０は、図１に示すように、下壁部７５の左右方向の中央部に吐水管５０が挿通する第１挿通孔７５Ａを形成している。第１挿通孔７５Ａは略円形状に開口している。また、カバー７０は下壁部７５にハンドル９０が挿通する第２挿通孔７５Ｂを形成している。第２挿通孔７５Ｂは第１挿通孔７５Ａよりも右側に形成されている。第２挿通孔７５Ｂは左右方向よりも前後方向が長い楕円形状に開口している。また、カバー７０は下壁部７５に洗面ボウル２３の排水口に設けられた排水栓（図視せず。）を開閉する操作摘み２４を挿通する第３挿通孔７５Ｃが形成されている。第３挿通孔７５Ｃは第１挿通孔７５Ａよりも左側に形成されている。第３挿通孔７５Ｃは略円形状に開口している。ここで、左右は図１における左右をいう。カバー７０は、図１〜図６に示すように、水栓本体３０、吐水管５０の根元部、及び排水栓を開閉する操作摘み２４の取付部を前方及び下方から覆うように背板部２７の前面２７Ａの上端部に取り付けられている。
【００３０】
ハンドル９０は、図３〜図６に示すように、連結部９１、中間部９３、及び把持部９５を有している。連結部９１、中間部９３、及び把持部９５は一体的に形成されている。連結部９１は、外形が略四角柱形状であり、操作レバー３３の先端部にねじ止めされて連結されている。中間部９３及び把持部９５は全体的に略等しい幅を有し、かつ略等しい厚みを有した帯状である。把持部９５は、図４に示すように、水栓本体３０の操作レバー３３が中心軸Ｘ周りに反時計回転方向の回動端に回動した状態（最も反時計回転方向に回動した状態）において、第２挿通孔７５Ｂからカバー７０の下方に突出している部分である。つまり、把持部９５は水栓の使用者が把持する部分である。このため、中間部９３は、図４に示すように、水栓本体３０の操作レバー３３が中心軸Ｘ周りに反時計回転方向の回動端に回動した状態において、カバー７０内に位置している部分である。
【００３１】
中間部９３は、図３〜図６に示すように、一方の端部９３Ａが連結部９１の一側面から連続している。中間部９３は曲がり部９４を有している。曲がり部９４は、図３（Ａ）に示すように、正面視において、連結部９１に連続している中間部９３の一方の端部９３Ａが上下方向に伸び、かつ把持部９５が連続する他方の端部９３Ｂが操作レバー３３の中心軸Ｘから離れた位置で上下方向に伸びた状態において、一方の端部９３Ａから他方の端部９３Ｂに向けて左右方向に伸びつつ（図３（Ａ）参照）、後方に膨らむように湾曲している（図３（Ｂ）参照）。詳しくは、曲がり部９４は、一方の端部９３Ａの上端に連続して右方向に曲がり、右方向に向けて後方に伸びつつ下方に向けて湾曲し、他方の端部９３Ｂの上端に連続している。
【００３２】
把持部９５は中間部９３の他方の端部９３Ｂの下端に連続している。中間部９３と把持部９５との境界部９６は、屈曲しており、図３（Ｂ）に示すように、中間部９３の他方の端部９３Ｂが鉛直線方向に垂下した状態に位置する際に、把持部９５は下方に向けて前方に傾斜した状態になる。把持部９５は下端部の裏面に凸部９７が形成されている。この凸部９７は使用者の指が把持部９５に係止し易くするものである。
【００３３】
カバー７０は、図３〜図６に示すように、第２挿通孔７５Ｂが形成されている部分に上方に窪んだ凹部７９が形成されている。凹部７９は、図３（Ａ）に示すように、水栓本体３０が取り付けられている部分の下方から右方向に形成されている。第２挿通孔７５Ｂは凹部７９の底面を貫通して形成されている。また、第２挿通孔７５Ｂは水栓本体３０の操作レバー３３よりも右側に形成されている。
【００３４】
第２挿通孔７５Ｂから左方向に伸びる凹部７９の内面は下方外側に傾斜する傾斜面７９Ａによって形成されている。ハンドル９０を操作して、図５（Ａ）に示すように、水栓本体３０の操作レバー３３が中心軸Ｘ周りに時計回転方向の回動端に回動した状態（最も時計回転方向に回動させた状態）において、凹部７９の傾斜面７９Ａによって、ハンドル９０がカバー７０の下壁部７５に干渉しない。このため、第２挿通孔７５Ｂの左右方向の開口面積を大きくしなくてもよい。
【００３５】
次に、このような構成を有する水栓の操作について説明する。
この水栓は、吐水口５１から吐水される湯水の温度を調整する際、つまり湯水の混合比を調整する際、ハンドル９０の把持部９５を使用者が把持し、把持部９５を左右方向に振り子のように移動させる。すると、図３（Ａ），図４（Ａ），及び図５（Ａ）に示すように、ハンドル９０が連結部９１（水栓本体３０の操作レバー３３の中心軸Ｘ）を中心に回動する。
【００３６】
使用者が吐水口５１から吐水される湯水の温度を低くしようとする際は、ハンドル９０を右方向に移動させる。ハンドル９０を右方向に移動させると、徐々にハンドル９０の中間部９３が第２挿通孔７５Ｂからカバー７０内に入り込む。湯が混合されずに水のみを吐水口５１から吐水させたい場合は、図４（Ａ）に示すように、ハンドル９０を最も右側に移動させる。この状態でハンドル９０の中間部９３の全体が第２挿通孔７５Ｂからカバー７０内に入り込む。また、水栓本体３０の操作レバー３３は中心軸Ｘ周りに反時計回転方向の回動端に回動した状態になる。
【００３７】
また、使用者が吐水口５１から吐水される湯水の温度を高くしようとする際は、ハンドル９０を左方向に移動させる。ハンドル９０を左方向に移動させると、徐々にハンドル９０の中間部９３が第２挿通孔７５Ｂから出てくる。水が混合されずに湯のみを吐水口５１から吐水させたい場合、図５（Ａ）に示すように、ハンドル９０を最も左側に移動させる。この状態でハンドル９０の中間部９３の他方の端部９３Ｂ側が第２挿通孔７５Ｂからカバー７０の下方に露出する。また、水栓本体３０の操作レバー３３は中心軸Ｘ周りに時計回転方向の回動端に回動した状態になる。
【００３８】
このように、この水栓は、吐水口５１から吐水される湯水の温度を調整する際、ハンドル９０の中間部９３がカバー７０の第２挿通孔７５Ｂを通過する付近において、ハンドル９０の中間部９３の軌道範囲が狭く、第２挿通孔７５Ｂの左右方向の開口幅を小さくすることができる。
【００３９】
次に、この水栓は、吐水口５１から吐水される湯水の吐水量を調整する際、ハンドル９０の把持部９５を使用者が把持し、把持部９５を前後方向に振り子のように移動させる。すると、図３（Ｂ）及び図６（Ｂ）に示すように、ハンドル９０が操作レバー３３の回動軸３４を中心に回動する。
【００４０】
使用者が吐水口５１から湯水を吐水しようとする際は、ハンドル９０を手前方向に移動させる。ハンドル９０を手前方向に移動させると、徐々にハンドル９０の先端部が上方向に移動し、吐水口５１からの吐水量が徐々に増加する。つまり、図６（Ｂ）に示すように、湯水を混合させる状態に水栓本体３０の操作レバー３３を位置させたハンドル９０を手前方向に移動させると、操作レバー３３は先端部側が上方向に移動し、固定ディスク３２に対して可動ディスク３１が移動して、吐水口５１から湯水を吐水することができる。
【００４１】
一方、使用者が吐水口５１からの湯水の吐水を停止しようとする際（止水させる際）は、図３（Ｂ）に示すように、ハンドル９０を奥方向に移動させる。ハンドル９０を奥方向に移動させると、ハンドル９０の先端が下方向に移動し、吐水口５１からの吐水量が徐々に減少する。つまり、図３（Ｂ）に示すように、湯水を混合させる状態に水栓本体３０の操作レバー３３を位置させたハンドル９０を奥方向に移動させると、操作レバー３３は先端部側が下方向に移動し、固定ディスク３２に対して可動ディスク３１が移動して、吐水口５１からの湯水の吐水量を減少させ、さらには止水することができる。
【００４２】
このように、この水栓は、吐水口５１から吐水される湯水の吐水量を調整する際、ハンドル９０の中間部９３がカバー７０の第２挿通孔７５Ｂを通過する付近において、ハンドル９０の中間部９３の軌道範囲が狭く、第２挿通孔７５Ｂの前後方向の開口幅を小さくすることができる。また、第２挿通孔７５Ｂをカバー７０の下壁部７５の後端縁に近づけて開口させることができる。
【００４３】
このように、実施例１の水栓は、水栓本体３０、吐水管５０、カバー７０、及びハンドル９０を備えている。水栓本体３０は操作レバー３３を有している。操作レバー３３は、カウンター２１の背板部２７の前面２７Ａに取り付けられた状態で、背板部２７の前面２７Ａの前方であって、背板部２７の前面２７Ａに対して交差する方向に伸びている。また、操作レバー３３は、湯水の混合比と吐水量とを調整する。吐水管５０は、水栓本体３０に連通し、水栓本体３０を経由した湯水を先端の吐水口５１から吐水する。カバー７０は、カウンター２１の背板部２７の前面２７Ａに取り付けられた水栓本体３０を前方及び下方から覆うように取り付けられている。カバー７０は下壁部７５に上下方向に貫通した第２挿通孔７５Ｂが形成されている。ハンドル９０は、連結部９１、中間部９３、及び把持部９５を有している。連結部９１は操作レバー３３に連結されている。中間部９３は一方の端部９３Ａが連結部９１に連続している。把持部９５は。中間部９３の他方の端部９３Ｂに連続して伸び、カバー７０の第２挿通孔７５Ｂを挿通してカバー７０の下方に突出している。また、ハンドル９０は、中間部９３の一方の端部９３Ａが上下方向に伸びた状態において、中間部９３の他方の端部９３Ｂが操作レバー３３の中心軸Ｘから離れた位置で上下方向に向けて伸びるように中間部９３が曲げられている。
【００４４】
この水栓は、ハンドル９０の中間部９３の一方の端部９３Ａが上下方向に伸びた状態において、中間部９３の他方の端部９３Ｂが操作レバー３３の中心軸Ｘから離れた位置で上下方向に伸びるように中間部９３が曲げられている。このため、この水栓は、ハンドル９０を操作して、水栓本体３０の操作レバー３３を動かして湯水の混合比や吐水量を調整する際に、ハンドル９０の中間部９３がカバー７０の第２挿通孔７５Ｂを通過する付近において、ハンドル９０の中間部９３の軌道範囲を狭くすることができる。つまり、この水栓は、ハンドル９０の中間部９３が挿通するカバー７０の第２挿通孔７５Ｂを小さくすることができる。よって、カバー７０の下部をすっきりとした形状にすることができる。
【００４５】
したがって、実施例１の水栓は、清掃性及びデザイン性を良好にすることができる。
【００４６】
また、実施例１の水栓の操作レバー３３の中間部９３の一方の端部９３Ａが上下方向に伸びた状態において、中間部９３は、一方の端部９３Ａから他方の端部９３Ｂに向けて左右方向に伸びつつ後方に膨らむように湾曲した曲がり部９４を有している。このように、この水栓は、曲がり部９４が操作レバー３３の中間部９３の一方の端部９３Ａから他方の端部９３Ｂに向けて左右方向に伸びている。このため、この水栓は、ハンドル９０を操作して、水栓本体３０の操作レバー３３を中心軸Ｘ周りに回動させて湯水の混合比を調整する際、ハンドル９０の中間部９３がカバー７０の挿通孔を通過する付近において、ハンドル９０の中間部９３の軌道範囲を狭くすることができる。また、この水栓は、曲がり部９４が操作レバー３３の中間部９３の一方の端部９３Ａから他方の端部９３Ｂに向けて後方に膨らむように湾曲している。これによって、この水栓は、ハンドル９０を操作して、水栓本体３０の操作レバー３３を中心軸Ｘに交差する方向に移動させて湯水の吐水量を調整する際、ハンドル９０の中間部９３がカバー７０の挿通孔を通過する付近において、ハンドル９０の中間部９３の軌道範囲を狭くすることができる。このため、この水栓は、ハンドル９０の中間部９３が挿通するカバー７０の挿通孔を小さくすることができる。よって、カバー７０の下部をすっきりとした形状にすることができる。
【００４７】
また、実施例１の水栓のカバー７０は下部に上方に窪んだ凹部７９が形成されており、第２挿通孔７５Ｂは前記凹部７９に形成されている。このため、この水栓はカバー７０の第２挿通孔７５Ｂを水栓本体３０の操作レバー３３の中心軸Ｘに近づけることができる。これによって、この水栓は、ハンドル９０の中間部９３が挿通するカバー７０の第２挿通孔７５Ｂを小さくすることができ、カバー７０の下部をよりすっきりとした形状にすることができる。
【００４８】
また、実施例１の水栓において、操作レバー３３を回動端に回動させた際のハンドル９０に干渉しないように、凹部７９は第２挿通孔７５Ｂから下方外側に傾斜する傾斜面７９Ａによって形成されている。このため、この水栓は、第２挿通孔７５Ｂを大きくしなくてもハンドル９０を操作して操作レバー３３を回動端に回動させることができる。つまり、この水栓は、ハンドル９０の中間部９３が挿通するカバー７０の第２挿通孔７５Ｂを小さくすることができ、カバー７０の下部をよりすっきりとした形状にすることができる。
【００４９】
本発明は上記記述及び図面によって説明した実施例１に限定されるものではなく、例えば次のような実施例も本発明の技術的範囲に含まれる。
（１）実施例１では、水栓が洗面化粧台に取り付けられていたが、洗面化粧台に限らず取り付けることができる。
（２）実施例１では、中間部の一方の端部が上下方向に伸びた状態で中間部の他方の端部が操作レバーの中心軸から離れた位置で上下方向に伸びていたが、中間部の一方の端部が上下方向に伸びずに左右方向のみに伸びて中間部の他方の端部が上下方向に伸びるようにしてもよい。
（３）実施例１では、ハンドルの中間部の湾曲部が後方に膨らむように湾曲していたが、湾曲部が前方に膨らむように湾曲していてもよい。
（４）実施例１では、カバーの下壁部に上方に窪んだ凹部を形成し、凹部に挿通孔を形成したが、カバーの下壁部に凹部を形成しなくてもよい。
（５）実施例１では、カバーの下壁部に形成した凹部が第２挿通孔から下方外側に傾斜する傾斜面によって形成されていたが、傾斜面によって凹部を形成しなくてもよい。
（６）実施例１では、カバーは上方が開口し、ミラーキャビネットの下端面がその開口を塞いでいたが、カバーが水栓本体の上方も覆うように形成してもよい。
（７）実施例１では、ミラーキャビネットを備えた洗面化粧台であったが、ミラーキャビネットの代わりに、例えば、一面鏡と、一面鏡の下端部に棚部とが設けられた洗面化粧台であって、その下に水栓(水栓本体、吐水口、カバー、及びハンドル)を取り付けてもよい。
（８）実施例１では、カバーの左右方向の幅と洗面化粧台の左右方向の幅とが同じであったが、カバーは洗面化粧台の左右方向の幅と同じ左右方向の幅を有していなくてもよく、水栓本体を少なくとも下方及び前方から覆うことができればよい。
【符号の説明】
【００５０】
２７Ａ…背板部の前面（取付面）
３０…水栓本体
３３…操作レバー
５０…吐水管
５１…吐水口
７０…カバー
７５Ｂ…第２挿通孔（挿通孔）
７９…凹部
７９Ａ…傾斜面
９０…ハンドル
９１…連結部
９３…中間部
９３Ａ…（中間部の）一方の端部
９３Ｂ…（中間部の）他方の端部
９４…曲がり部
９５…把持部
【図１】
0006537442.tif 000002
【図２】
0006537442.tif 000003
【図３】
0006537442.tif 000004
【図４】
0006537442.tif 000005
【図５】
0006537442.tif 000006
【図６】
0006537442.tif 000007